(57)【要約】【課題】データサービス起動ネットワークのための方法と装置【解決手段】休止中の端末にプッシュデータを送信することによりデータサービスを開始するネットワーク内にネットワーク資源を保存するための技術が提供される。休止中の端末と関連する選択されたネットワーク資源は解放され、そして休止中の端末のネットワークアタッチメントのポイントが変化する時に、休止中の端末に到達するために保持された情報は更新される。【選択図】      図３
2007509575.tif 000002
【特許請求の範囲】
【請求項１】
ＰＰＰ状態およびＡ１０接続を含むネットワーク資源を保存する一方でプッシュサービスを提供するネットワークであって下記を具備する：
それと関連するＩＰアドレスを有する無線端末；
無線端末プロファイル情報に応じて、該無線端末に関する可到達性情報を生成する第１のパケットデータ提供ノード；
該無線端末が休止中であることを検出するとすぐ休止中表示を発生する第１の無線アクセスネットワーク；および
ここにおいて、該休止中表示を受信するとすぐ、該第１のパケットデータ提供ノードは該ＰＰＰ状態を取り除くおよび該第１の無線アクセスネットワークが該Ａ１０接続を解放することを要求する。
【請求項２】
ここにおいて該第１のパケットデータ提供ノードは該無線端末に関する可到達性情報を保持する、請求項１記載のネットワーク。
【請求項３】
さらに下記を具備する、請求項１記載のネットワーク：
アクセスネットワーク認証、認可およびアカウンティング（ＡＡＡ）サーバ、ここにおいて該第１のパケットデータ提供ノードはもしも該無線端末が認証されるならば該アクセスネットワーク認証、認可およびアカウンティング（ＡＡＡ）サーバから無線端末プロファイル情報を受信する。
【請求項４】
ここにおいて該第１の無線アクセスネットワークは初めに該第１のパケットデータ提供ノードとのＡ１０接続を有する、およびここにおいて該第１の無線アクセスネットワークは該無線端末が休止中であることを検出する、およびＡ１１シグナリングによって該第１のパケットデータ提供ノードに休止中表示を送る、請求項１記載のネットワーク。
【請求項５】
ここにおいて該無線端末ＩＤおよび該ＰＣＦアドレスは該Ａ１０接続セットアップに関するＡ１１シグナリングによって該パケットデータ提供ノードに供給される、請求項４記載のネットワーク。
【請求項６】
ここにおいて該第１のパケットデータ提供ノードはもしも該無線端末プロファイルがＮＩＤＳを示すならば該無線端末に関する該可到達性情報を生成する、およびここにおいて該可到達性情報は該無線端末ネットワークアクセス識別子、無線端末ＩＰアドレス、ＰＣＦアドレス、アクセスネットワークＩＤ（ＡＮＩＤ）および無線端末ＩＤの間のマッピングを備える、請求項１記載のネットワーク。
【請求項７】
さらに下記を具備する、請求項３記載のネットワーク：
ＰＣＦ、および
ここにおいてもしも該アクセス・ネットワークチャレンジハンドシェーク認証プロトコル認証が成功すれば、該アクセスネットワークＡＡＡサーバは一時的ＩＭＳＩを割り当てるおよび該ＰＣＦが該パケットデータ提供ノードへのＡ１１シグナリング内に該ＩＭＳＩを含むことができるようにＲＡＤＩＵＳアクセス・アクセプトによって該ＰＣＦに該一時的ＩＭＳＩを伝達する。
【請求項８】
さらに下記を具備する、請求項７記載のネットワーク：
ドメインネームサーバ（ＤＮＳ）、および該無線端末プロファイルがＩＲＳを示す時に、該ＡＡＡサーバは該無線端末ＩＰアドレスについての該ＤＮＳサーバを更新するおよび該無線端末ネットワークアクセス識別子、無線端末ＩＰアドレス、およびネットワークアクセス識別子ＩＰアドレス間のマッピングを保持する。
【請求項９】
さらに下記を具備する、請求項１記載のネットワーク：
第２の無線アクセスネットワーク、
該休止中の無線端末が該第２の無線アクセスネットワークに移動する時に、該第２の無線アクセスネットワークは前アクセスネットワークＩＤ、現アクセスネットワークＩＤ、無線端末ＩＤ、および無線端末休止状態表示をも含むＡ１１シグナリングによって該第１のパケットデータ提供ノードとのＡ１０接続を確立する。
【請求項１０】
ここにおいて該第１のパケットデータ提供ノードはそれが該無線端末ＩＤに基づいた該無線端末に関する可到達性情報を有することを決定する、請求項９記載のネットワーク。
【請求項１１】
ここにおいて該前アクセスネットワークＩＤに基づいて、該第１のパケットデータ提供ノードはＰＤＳＮ内ハンドオフが発生していると決定する、該可到達性情報内の該アクセスネットワークＩＤを該現アクセスネットワークＩＤで更新する、および該第２の無線アクセスネットワークが該無線端末に関する該Ａ１０接続を取り除くことを要求する、請求項１１記載のネットワーク。
【請求項１２】
さらに下記を具備する、請求項１記載のネットワーク：
第３の無線アクセスネットワーク；および
第２のパケットデータ提供ノード、
該休止中の無線端末が該第３の無線アクセスネットワークに移動する時に、該第３の無線アクセスネットワークは該第２のパケットデータ提供ノードを選択するおよび該前アクセスネットワークＩＤ、現アクセスネットワークＩＤ、無線端末ＩＤ、および無線端末休止状態表示から成るＡ１１シグナリングによって該第２のパケットデータ提供ノードへのＡ１０接続を確立する。
【請求項１３】
該ＡＡＡサーバは該無線端末ＩＰアドレスが変化したことを通知する時に、該ＡＡＡサーバは該無線端末に関する該可到達性情報を取り除くおよび将来の割当てに関する該無線端末ＩＰアドレスを解放する、請求項１２記載のネットワーク。
【請求項１４】
さらに下記を具備する、請求項１記載のネットワーク：
該無線端末にデータをプッシュするためのコンテンツサーバ、
ここにおいて該コンテンツサーバは該無線端末ＩＰアドレスを得るおよび該無線端末の該ＩＰアドレスを管理する該第２のパケットデータ提供ノードに該無線端末にアドレス指定されたパケットを送る、
ここにおいて該第２のパケットデータ提供ノードは該無線端末ＩＤおよび該パケットの該目的地ＩＰアドレスに基づいた該可到達性情報からＰＣＦアドレスを得る。
【請求項１５】
さらに下記を具備する、請求項１４記載のネットワーク：
第３の無線アクセスネットワーク、
ここにおいて該第２のパケットデータ提供ノードは、Ａ１１シグナリングによって、該第３の無線アクセスネットワークが該無線端末に関するＡ１０接続を確立することを要求する、および
Ａ１０が確立された後に、該第２のパケットデータ提供ノードは該無線端末とＰＰＰネゴシエーションを開始する、および該第２のパケットデータ提供ノードは該可到達性情報から同一の無線端末ＩＰアドレスを割り当てる。
【請求項１６】
ここにおいて該第２のパケットデータ提供ノードは該第３の無線アクセスネットワークによって該無線端末に該パケットを伝送する、および
該無線端末が休止状態になる時に、該第３の無線アクセスネットワークは該第２のパケットデータ提供ノードを通知する、およびここにおいて該第２のパケットデータ提供ノードは該Ａ１０接続および該ＰＰＰ状態を解放する、および該無線端末に関する該可到達性情報を保持する、請求項１５記載のネットワーク。
【請求項１７】
さらに下記を具備する、請求項４記載のネットワーク：
ホームエージェント、
ここにおいて該第１のパケットデータ提供ノードは該無線端末に移動体ＩＰエージェント広告を送る、および該無線端末は移動体ＩＰ登録を実行する、および
もしも該フォーレンエージェントチャレンジ認証が成功すれば、該ＡＡＡサーバは該第１のパケットデータ提供ノードに無線端末プロファイル情報を伝達する、および
もしも該登録が成功すれば、該ホームエージェントは移動体ＩＰ登録応答内の該無線端末のホームアドレスを伝達する。
【請求項１８】
ここにおいて該第１のパケットデータ提供ノードは該無線端末プロファイルがＮＩＤＳを示すので該無線端末に関する該可到達性情報を生成する、およびここにおいて該可到達性情報は該無線端末ネットワークアクセス識別子、無線端末ホームアドレス、ＰＣＦアドレス、アクセスネットワークＩＤ(ＡＮＩＤ)、および無線端末ＩＤ間のマッピングを具備する、請求項１記載のネットワーク。
【請求項１９】
ここにおいて該第１のパケットデータ提供ノードは該可到達性情報および該無線端末に関するビジタリストエントリを保持する、請求項２記載のネットワーク。
【請求項２０】
さらに下記を具備する、請求項１４記載のネットワーク：
コンテンツサーバ；および
ホームエージェント、
該ホームエージェントは該無線端末がＰＤＳＮ／ＦＡを変更したことを通知する時に、該ホームエージェントは該無線端末に関する該ビジタリストエントリおよび可到達性情報を取り除くために該第１のパケットデータ提供ノードに移動体ＩＰ廃止を送る、および
ここにおいて該コンテンツサーバは該無線端末ＩＰアドレスを得るおよび該ホームエージェントによって該第２のパケットデータ提供ノードに該無線端末にアドレス指定されたパケットを送る。
【請求項２１】
該無線端末が休止状態になる時に、該第３の無線アクセスネットワークは該第２のパケットデータ提供ノードを通知する、およびここにおいて該第２のパケットデータ提供ノードは該Ａ１０接続および該ＰＰＰ状態を解放する、および該無線端末に関する該可到達性情報およびビジタエントリリストを保持する、請求項１６記載のネットワーク。
【請求項２２】
さらに下記を具備する、請求項１記載のネットワーク：  ホームエージェント、ここにおいて該無線端末はＩＰｖ６アドレスプレフィックスおよび無線端末インターフェイスＩＤから成る新しい気付けアドレスを備える該ホームエージェントに結合最新情報を送ることによって該ホームエージェントで登録を実行する。
【請求項２３】
さらに下記を具備する、請求項２２記載のネットワーク：
該ホームエージェントにおよびその後該無線端末の該ＩＰアドレスを管理する該第２のパケットデータ提供ノードに該無線端末にアドレス指定されたパケットを送るコンテンツサーバ。
【請求項２４】
下記を具備する、ネットワーク内のネットワーク資源を保存する一方で休止中の端末にプッシュデータサービスを提供するための方法：
該休止中の端末と関連する選択されたネットワーク資源を解放する；
該休止中の端末に到達するための端末プロファイル情報を保持する；および
該休止中の端末のネットワークアタッチメントの該ポイントが変化する時に該休止中の端末に到達するための該端末プロファイル情報を更新する。
【請求項２５】
下記を具備する、ここにおいて該休止中の端末と関連する選択されたネットワーク資源を解放する、請求項２４記載の方法：
ＰＰＰ状態を取り除く；および
該端末が休止中であることを示す休止中表示を受信するとすぐＡ１０接続を解放する。
【請求項２６】
下記を具備する、ここにおいて該端末プロファイル情報はアクセスネットワークＩＤ(ＡＮＩＤ)を具備する該端末に関するＮＩＤＳ可到達性情報(ＮＲＩ)から成る、およびここにおいて該休止中の端末のネットワークアタッチメントの該ポイントが変化する時に該休止中の端末に到達するための該端末プロファイル情報を更新する、請求項２４記載の方法：
現アクセスネットワークＩＤ付きの該ＮＲＩ内のアクセスネットワークＩＤを更新するおよびＰＤＳＮ内ハンドオフを受けるとすぐ該端末に関する該Ａ１０接続の解放を要求する。
【請求項２７】
下記を具備する、ここにおいて該休止中の端末に到達するための端末プロファイル情報を保持する、請求項２６記載の方法：
該休止中の端末に到達するためのＮＲＩを保持する。
【請求項２８】
ここにおいて該休止中の端末に到達するための該端末プロファイル情報は端末ネットワークアクセス識別子、端末ＩＰアドレス、ＰＣＦアドレス、アクセスネットワークＩＤ(ＡＮＩＤ)、および端末ＩＤの少なくとも２つの間のマッピングを具備する、請求項２４記載の方法。
【請求項２９】
ここにおいて該休止中の端末に到達するための該端末プロファイル情報は端末ネットワークアクセス識別子、端末ＩＰアドレス、ＰＣＦアドレス、アクセスネットワークＩＤ（ＡＮＩＤ）、および端末ＩＤの少なくとも２つの間のマッピングを具備する、請求項２４記載の方法。
【請求項３０】
ここにおいて該休止中の端末に到達するための該端末プロファイル情報は該ＡＮＩＤおよび端末ＩＰアドレスの間のマッピングをさらに具備する、請求項２６記載の方法。
【請求項３１】
ここにおいて該休止中の端末に到達するための該端末プロファイル情報は該ＡＮＩＤ、該端末ＩＰアドレス、および端末ネットワークアクセス識別子の間のマッピングをさらに具備する、請求項３０記載の方法。
【請求項３２】
ここにおいて該休止中の端末に到達するための該端末プロファイル情報は該ＡＮＩＤ、該端末ＩＰアドレス、該端末ネットワークアクセス識別子、および端末ＩＤの間のマッピングをさらに具備する、請求項３１記載の方法。
【請求項３３】
さらに下記を具備する、請求項２４記載の方法：
該端末にデータをプッシュする、
ここにおいて該プッシュデータは端末ＩＰアドレスおよび端末移動性結合の少なくとも１つを備える。
【請求項３４】
ここにおいて該プッシュデータは端末ＩＰアドレスおよび端末移動性結合から成る、請求項２４記載の方法。
【請求項３５】
ここにおいて該休止中の端末は変化するアタッチメントの第１のポイントで該ネットワークに初めに付加される、請求項２４記載の方法。
【請求項３６】
さらに下記を具備する、請求項２４記載の方法：
該端末がパワーオンする時にＡ１０接続を確立する；
該端末を認証する、およびもしも該認証が成功すれば、端末プロファイル情報を伝達する、および
該端末にＩＰアドレスを割り当てる。
【請求項３７】
さらに下記を具備する、請求項３６記載の方法：
パケットデータセッションが該ネットワークによって開始されている該端末からの表示に応じて該休止中の端末に到達するための端末プロファイル情報を生成する。
【請求項３８】
ここにおいて該端末プロファイル情報は端末ネットワークアクセス識別子、端末ＩＰアドレス、ＰＣＦアドレス、アクセスネットワークＩＤ(ＡＮＩＤ)、および端末ＩＤの間のマッピングを備える該端末に関するＮＩＤＳ可到達性情報（ＮＲＩ）から成る、およびさらに下記を具備する、請求項３７記載の方法：
該端末ネットワークアクセス識別子、端末ＩＰアドレス、ＰＣＦアドレス、アクセスネットワークＩＤ（ＡＮＩＤ）、および端末ＩＤを具備するメッセージを送る；
該端末ＩＰアドレスを更新する；および
該端末ネットワークアクセス識別子、端末ＩＰアドレス、およびネットワークアクセス識別子ＩＰアドレスの間のマッピングを保持する。
【請求項３９】
ここにおいてＰＰＰ状態を取り除く、下記を具備する、請求項２５記載の方法：
該端末に終結要求を送ること無しにＰＰＰ状態を取り除く。
【請求項４０】
ここにおいて該休止中の端末に到達するためのＮＲＩを保持する、下記を具備する、請求項２６記載の方法：
該休止中の端末に該プッシュデータを伝送するために該休止中の端末に到達するためのパケットデータ提供ノードでＮＲＩを保持する。
【請求項４１】
該端末がＰＤＳＮ内ハンドオフを受ける時に、さらに下記を具備する、請求項２６記載の方法：
該休止中の端末が異なる無線アクセスネットワークに移動する時に変化を検出する；
前アクセスネットワークＩＤ、現アクセスネットワークＩＤ、端末ＩＤ、および端末休止状態表示を備えるＡ１１シグナリングによってＡ１０接続を確立する；
該端末ＩＤに基づいて、該端末に関するＮＲＩがあることを決定する；および
該受信された前アクセスネットワークＩＤに基づいて、ＰＤＳＮ内ハンドオフが発生していることを決定する。
【請求項４２】
該端末がＰＤＳＮ内ハンドオフを受ける時に、さらに下記を具備する、請求項４１記載の方法：
該休止中の端末がもう１つの無線アクセスネットワークに移動する時に変化を検出する。
【請求項４３】
さらに下記を具備する、請求項４２記載の方法：
前アクセスネットワークＩＤ、現アクセスネットワークＩＤ、端末ＩＤ、および端末休止状態表示をも含むＡ１１シグナリングによってＡ１０接続を確立する；
【請求項４４】
さらに下記を具備する、請求項４３記載の方法：  該端末ＩＰアドレスが変化した時に、該休止中の端末に関する該ＮＲＩを取り除くおよび将来の配置に関する該端末ＩＰアドレスを解放する。
【請求項４５】
さらに下記を具備する、ここにおいて該端末にデータをプッシュする、請求項４４記載の方法：
該端末ＩＰアドレスを得るおよび該端末にアドレス指定されたパケットを送る；
該端末ＩＰアドレスを管理するノードに該端末にアドレス指定された該パケットを送る；
該パケットをバッファに入れる；
該パケットの該目的地ＩＰアドレスに基づいて、該ＮＲＩから該端末ＩＤおよびＰＣＦアドレスを得る；
Ａ１１シグナリングによって、該端末に関するＡ１０接続の確立を要求する、および該Ａ１０接続が確立された後に、該端末とのＰＰＰネゴシエーションを開始する；
インターネットプロトコル制御プロトコルの間、該ＮＲＩから同一の端末ＩＰアドレスを割り当てる；
該もう１つの無線アクセスネットワークによって該休止中の端末にパケットを伝送する；
該Ａ１０接続およびＰＰＰ状態を解放する；および
該端末に関するＮＲＩを保持する。
【請求項４６】
さらに下記を具備する、請求項３７記載の方法：
ＰＰＰが確立された後に、該端末に移動体ＩＰエージェント広告を送る；および
移動体ＩＰ登録を実行する、ここにおいてもしも認証が成功すれば、ＮＲＩを伝達する。
【請求項４７】
さらに下記を具備する、請求項４６記載の方法：
もしも該登録が成功すれば、移動体ＩＰ登録応答内の該端末ホームアドレスを伝達する。
【請求項４８】
下記を具備する、ここにおいて該端末に到達するためのＮＲＩを保持する、請求項２７記載の方法：
該端末に到達するための該ＮＲＩおよびビジタリストエントリを保持する。
【請求項４９】
下記を具備する、ここにおいて該端末に到達するための該ＮＲＩを保持する、請求項４０記載の方法：
該端末に到達するための該ＮＲＩおよびビジタリストエントリを保持する。
【請求項５０】
該端末がＰＤＳＮ間ハンドオフを受ける時に、さらに下記を具備する、請求項４０記載の方法：
該ビジタリストエントリおよび該端末に関するＮＲＩを取り除くために移動体ＩＰ廃止を送る。
【請求項５１】
さらに下記を具備する、請求項３６記載の方法：
結合最新情報を送ることによって移動体ＩＰ登録を実行する。
【発明の詳細な説明】
【関連出願】
【０００１】
本出願は仮出願番号第６０／５１３，２４９号、タイトル“データセッションおよびショートメッセージ伝送起動のための方法と装置（Ｍｅｔｈｏｄｓ  ａｎｄ  Ａｐｐａｒａｔｕｓ  ｆｏｒ  Ｎｅｔｗｏｒｋ  Ｉｎｉｔｉａｔｅｄ  Ｄａｔａ  Ｓｅｓｓｉｏｎ  ａｎｄ  Ｓｈｏｒｔ  Ｍｅｓｓａｇｅ  Ｄｅｌｉｖｅｒｙ）”２００３年１０月２１日提出および第６０／５２０，５４４号、タイトル“データサービス起動ネットワークのためのナル状態登録（Ｎｕｌｌ−Ｓｔａｔｅ  Ｒｅｇｉｓｔｒａｔｉｏｎ  Ｆｏｒ  Ｎｅｔｗｏｒｋ−Ｉｎｉｔｉａｔｅｄ  Ｄａｔａ  Ｓｅｒｖｉｃｅ）”２００３年１１月１４日提出への優先権を主張する、そしてこれについてまたこの結果譲受人に譲渡されこの中に引用されて明確に組み込まれる。
【技術分野】
【０００２】
本発明は一般に無線通信に関し、そしてより詳しくはネットワーク起動データサービス(ＮＩＤＳ)に関する。
【０００３】
頭字語次の術語の各々について、下記の説明は次の頭字語を使用する：
認証、認可およびアカウンティング（ＡＡＡ）アクセスネットワークＩＤ（ＡＮＩＤ）基地局（ＢＳ）現アクセスネットワークＩＤ（ＣＡＮＩＤ）チャレンジハンドシェーク認証プロトコル（ＣＨＡＰ）ドメインネームシステム（ＤＮＳ）フォーレンエージェント（Foreign Agent）（ＦＡ）フォーレンエージェントチャレンジ（ＦＡＣ）ホームエージェント（ＨＡ）ホーム認証、認可およびアカウンティング（ＨＡＡＡ）ホームアプリケーションゲートウエイ（ＨＡＧＷ）ホームロケーションレジスタ（ＨＬＲ）インターネットプロトコル制御プロトコル（ＩＰＣＰ）インターネットプロトコル可到達性(Reachability)サービス（ＩＲＳ）リンク制御プロトコル（ＬＣＰ）メッセージセンタ（ＭＣ）移動局（ＭＳ）移動交換センタ（ＭＳＣ）移動局ＩＤ（ＭＳＩＤ）ネットワークアクセス識別子（ＮＡＩ）ネットワークアクセスサーバ（ＮＡＳ）ネットワーク起動データセッション（ＮＩＤＳ）ＮＩＤＳ可到達性情報（ＮＲＩ）前アクセスネットワークＩＤ（ＰＡＮＩＤ）ＰＰＰ認証プロトコル（ＰＡＰ）プッシュコンテンツアプリケーション（ＰＣＡ）パケット制御機能（ＰＣＦ）パケットデータ提供ノード（ＰＤＳＮ）プッシュゲートウエイ（ＰＧＷ）ポイントツーポイントプロトコル（ＰＰＰ）無線アクセスネットワーク（ＲＡＮ）ショートメッセージアプリケーション（ＳＭＡ）ビジテッド認証、認可およびアカウンティング（ＶＡＡＡ）ビジテッドアプリケーションゲートウエイ（ＶＡＧＷ）ビジテッドロケーションレジスタ（ＶＬＲ）
【背景技術】
【０００４】
ｃｄｍａ２０００を使用している無線ＩＰネットワークは広く展開されつつある。今日多くの無線データアプリケーションはネットワークとのデータセッションを確立するために移動局による最初のアクションを想定しており、そしてＩＰパケットを順方向転送するためにネットワークに移動局を到達させる。
【０００５】
オールウエイズ・オンサービス
“オールウエイズ・オン”能力付きの無線端末はパワーの適用にデータセッションを自動的に確立し、そしてパワーが止められるまでこのセッションを保持できる。例えば、ｃｄｍａ２０００無線ＩＰネットワークのためのＩＳ−８３５−Ｃ標準はオールウエイズ・オン接続性をサポートする。さらに、３ＧＰＰ２はＩＰネットワークへのオールウエイズ・オン接続性を持つことを移動局に要求するすべてのＩＰネットワークを開発した。
【０００６】
オールウエイズ・オンサービスは理想的に、どこでもいつでもユーザがＩＰプッシュサービスを使用することを可能にして、データが無線端末にプッシュされることを認める。ネットワークはＥメール通知、インスタントメッセージ、会話型ゲーム(interactive  game)、マルチメディアメッセージ伝送、移動体終結ＶｏＩＰ呼、ＩＯＴＡデータ伝送等のようなショートメッセージ伝送を含むサービスの間ユーザにパケットを送ることができる。
【０００７】
オールウエイズ・オンサービスに関連する１つの欠点は、それが何もデータアクティビティを持たない時でさえ無線端末のための資源を保持することである。
【０００８】
例えば、移動体にデータを“プッシュ”するためのネットワークについて、このネットワークは現在、データアクティビティがない時に与えられた移動局に関する休止中のデータセッションを保持しなければならない。これはメモリスペース、シグナリングトラフィック、ＰＤＳＮ資源、エアインターフェイス資源、およびＩＰアドレススペースのような資源の保持を必要とする。例えば、その無線端末についてＰＣＦ内の休止中のセッションを保持することはＰＣＦ内にメモリスペースを必要とする。さらに、ＰＣＦとＰＤＳＮとの間のＲ−Ｐトンネルを周期的に一新することは不必要なシグナリングを周期的に加える。ＰＤＳＮ資源はＰＤＳＮ内のＰＰＰ状態を保持するために必要とされる。パケットデータ移動性と関連するエアインターフェイス資源は、移動体端末が新パケットゾーンに移動する度にそれの位置を基地局に通知するために休止状態(dormancy)のままでなければならないので必要とされる。もしもこれがＰＤＳＮ間ハンドオフの結果であれば、新ＰＰＰおよび移動体ＩＰ登録(Mobile  IP  registration)は典型的に、どちらがトラフィックチャネル資源を要求するかが必要である。結局、ＩＰアドレススペースはその移動体に関するＩＰアドレスを保持するために必要であり、そしてもしもＩＰｖ４が使用されれば、使用可能なアドレス数には実質上の制限がある。
【０００９】
ｃｄｍａ２０００オペレータはＰＤＳＮおよびＨＡ資源の効率的な使用を望むので、ｃｄｍａ２０００オペレータはＰＤＳＮおよびＨＡ資源が高価なためオールウエイズ・オンサービスを提供してはならない。結果として、ＩＳ−８３５−Ｃ標準では、３ＧＰＰ２はＰＤＳＮおよびＨＡ資源管理に関するソリューションを開発した。しかしながら、もしもオペレータがオールウエイズ・オンサービスを提供しないならば、ＰＤＳＮおよびＨＡ内のＭＳについての接続性資源は取り除かれた可能性があるので、ＭＳはＩＰプッシュサービスを受信することができない可能性がある。
【００１０】
ネットワーク起動データサービス
ネットワーク起動データサービス（ＮＩＤＳ）はオールウエイズ・オンサービスと関連するネットワーク資源問題を提起する。ＮＩＤＳはパケットデータ休止状態でそれらの時間の大部分を消費するＭＳにとっては有利である。ＮＩＤＳは、ＭＳのような、パケットデータが可能な装置が“パケットデータ切断状態”にあり、そしてＣＮが移動局とデータセッションを確立（即ち、この移動局にデータを“プッシュ”）したい時に有用である。ＮＩＤＳは、例えば、その装置内ではコアネットワークによって決定された時間にパケットデータ通信セッションを確立することが時折必要になるアプリケーションで、有用になり得る。そのようなアプリケーションは、例えば、ｅメール通知、あるロケーションベースのアプリケーション、特に、ＰＲＬダウンロードのような保守活動を含んでもよい。ＮＩＤＳもまた、例えば、即時メッセージングまたはマルチメディアメッセージングのような、ＭＳへのデータの“プッシング”を要求するサービスとともに有用であり得る。
【００１１】
ＮＩＤＳのゴールはそれのために資源のいくつかが取り戻された移動局にＩＰパケットを伝送することによってネットワーク資源を最高に利用することである。ＮＩＤＳ無しに、無線端末に到達することは“オールウエイズ・オン”サービスによるか、または移動体起動の接続性の手段によるかのいずれかによる、ネットワークと無線端末との間のパケットデータ接続を必要とする。
【００１２】
種々の管理上の理由のためネットワークはシンプルＩＰおよび移動体ＩＰの両方またはＨＡ内の結合記録(binding  record)のためにＰＰＰセッションを一掃してもよい。ネットワークは、リンク制御プロトコル・ターム要求(Link  Control  Protocol-Term-Request)またはエージェント広告(Agent  advertisement)のような、パージメッセージ(purge  message)を無線端末に送ることによってこのパージを示すことができる。このパージメッセージを受信することによって、無線端末はネットワークがＩＰ接続性を終結したことを知る。
【００１３】
しかしながら、もしも無線端末が一時的にカバレッジ外にいれば、この無線端末はパージメッセージを受信することができない。無線端末がこのカバレッジ内に戻る時に、この無線端末は、ＩＰ接続性はタイマが終了するまでなお提供されている、と想定する。このタイマは、例えば、移動体ＩＰ登録ライフタイマ(life  timer)またはマックスＰＰＰ静止(MAX  PPP  inactivity)タイマであってもよい。さらに、リンク制御プロトコル・ターム要求または無線端末への解放命令を送ることによって、ネットワークは無線端末にＰＰＰセッションが管理上一掃される時にパケットデータセッションが終わるか、またはＲＡＮ内のパケットデータセッションが終結したことを無線端末に通知してもよい。
【００１４】
この実施によって、無線端末は移動体ＩＰホームアドレスを保存できるが、しかしＨＡがＭＳに関する移動体ＩＰ結合を保存する一方で、ナル状態になる。結果として、ＨＡは登録されたＭＳに予定しておかれたパケットを受信できる。しかしながら、ネットワークはすでにＩＰ接続性を終結したので、このパケットはＰＤＳＮによって無線端末に伝送されることはできない。
【００１５】
したがってこれらの問題への解決のために必要なものがこの技術内にある。
【発明の開示】
【００１６】
[発明の概要]
技術はプッシュデータサービスを提供でき、そして休止中の端末にプッシュデータを伝えることによってそのようなプッシュデータサービスを開始するネットワーク内でネットワーク資源を保存するために提供される。１つの局面に従ってネットワーク起動のデータサービスはＰＰＰ状態およびＡ１０接続のようなネットワーク資源を保存する一方でプッシュサービスをサポートすることが提供される。休止中の端末はプッシュデータを受信するためにＩＰアドレスを持たねばならないので、ＩＰアドレスは保存される必要がない。休止中の端末へのデータをプッシュするエンティテイはこの休止中の無線端末のＩＰアドレスを知る必要がある。
【００１７】
１つの実施形態に従って、ネットワークは無線端末、第１のパケットデータ提供ノード、および第１の無線アクセスネットワークを含む。無線端末はそれと関連したＩＰアドレスを有する。第１のパケットデータ提供ノードは、ＮＩＤＳまたはＩＰ可到達性サービス（ＩＲＳ）のような無線端末プロファイル情報に応じて、無線端末のための可到達性情報を生成する。第１の無線アクセスネットワークは無線端末が休止中であることを検出するとすぐ休止中表示を発生する。
【００１８】
この発明の１つの局面に従って、休止中表示を受信するとすぐ、第１のパケットデータ提供ノードはＰＰＰ状態を取り除きそして第１の無線アクセスネットワークがＡ１０接続を解放することを要求する。そのように、ＰＰＰ状態およびＡ１０接続のような、休止中の端末と関連する選択されたネットワーク資源は解放される。
【００１９】
もう１つの局面に従って、休止中の端末に到達するために保持された情報は、休止中の端末のネットワークアタッチメントのポイントが変化する時に更新される。１つの実施形態では、第１のパケットデータ提供ノードは休止中の端末に関する可到達性情報を保持することができる。
【発明の詳細な説明】
【００２０】
術語“パケットデータセッション”はそれの間中ユーザがパケットデータサービスを援用しそして使用するであろうセッションを指す。
【００２１】
術語“パケットデータ切断条件”はその中でネットワーク資源が無線端末にＩＰパケットを送らせるためにまだ割り当てられないパケットデータ接続の条件を指す。
【００２２】
術語“コレスポンデントノード（ＣＮ）”はＭＳにプッシュされているＩＰパケットのイニシエータを指す。
【００２３】
術語“無線端末”はＣＮによってプッシュされているＩＰパケットの受信者を指す。術語“無線端末”は術語“移動局”、術語“目的地局”、“加入者局”、“加入者ユニット”、“端末”および“ユーザ装置（ＵＥ）”と互換的に使用されることができ、そしてそれとアクセスネットワークが通信するハードウェアを指す。例えば、ＵＭＴＳシステムでは、ユーザ装置（ＵＥ）はユーザをＵＭＴＳネットワークサービスにアクセスさせる装置であり、そして好ましくはユーザの加入情報のすべてを備えるＵＳＩＭをも含む。無線端末は移動型または固定型であってもよく、そして通常任意の通報者(communicator)、データ装置あるいは無線チャネルを介してまたは、例えば、光ファイバか同軸ケーブルを使用している有線チャネルを介して通信する端末を含むことができる。無線端末はＰＣカード、コンパクトフラッシュ（登録商標）、外部または内部モデム、あるいは無線または有線電話機を含むが、しかしそれに限定されない装置において具体化されてもよい。
【００２４】
術語“休止中の端末”は休止中の状態にある無線端末を指す。“休止中の状態”は無線端末に大気中送信チャネルが割り当てられなかった状態を指すが、しかし無線端末およびネットワークの両者は無線端末とネットワークとの間の接続性を急速に確立することを要求された情報を有する。
【００２５】
術語“端末プロファイル情報”は各無線端末に関する申込情報を指す。そのような申込情報の例はＮＩＤＳ、ＩＲＳ、等を含む。
【００２６】
術語“プッシュ”はＣＮの開始で無線端末に求められていないデータを送ることを指す。
【００２７】
術語“例示的”は一例、事例、または実例として機能することを意味する。“例示的”として記述された任意の実施形態は、必ずしも他の実施形態以上に好ましいとか優れていると解釈されるべきではない。
【００２８】
無線ＩＰネットワーク
ＮＩＤＳは３ＧＰＰ２  Ｘ．Ｓ００１１、無線ＩＰネットワーク標準、内に定義されたような無線ＩＰネットワーク基準モデルを基礎にすることができる。ＮＩＤＳサービスに関する必要条件を記述するために、簡略化された無線ＩＰネットワーク基準モデルが図１に示される。
【００２９】
図１は無線端末１０、無線アクセスネットワーク２０、パケットデータ提供ノード（ＰＤＳＮ）３０およびフォーレンエージェント（ＦＡ）３２、ＲＡＤＩＵＳサーバ４０、および移動交換センタ（ＭＳＣ）５０、およびＩＰネットワーク６０、ＣＮ７０、ホームエージェント（ＨＡ）８０、ＲＡＤＩＵＳサーバ９０，１００、ＳＳ７ネットワーク１１０およびホームロケーションレジスタ（ＨＬＲ）１２０から成るホームネットワーク８を備えるアクセスプロバイダネットワーク６を具備する無線ＩＰネットワーク基準モデル４の簡易化されたである。
【００３０】
無線端末１０は無線アクセスネットワーク２０と連結され、それはＡ１０インターフェイスおよびＡ１１インターフェイスを含むＲ−Ｐインターフェイスによってパケットデータ提供ノード（ＰＤＳＮ）３０およびフォーレンエージェント（ＦＡ）３２に連結される。無線アクセスネットワーク（ＲＡＮ）２０はＲＡＮ２０の部分である基地局（ＢＳ）（図示せず）とＰＤＳＮ３０との間のパケットの伝送を制御するパケット制御機能（ＰＣＦ）を含む。Ａ１０インターフェイスはＰＣＦとＰＤＳＮとの間のユーザトラフィックを運び、これに反してＡ１１インターフェイスはＰＣＦとＰＤＳＮとの間のシグナリング情報を運ぶ。
【００３１】
ＰＤＳＮ３０は移動局（ＭＳ）とのポイントツーポイントプロトコル（ＰＰＰ）セッションの確立、保守および終結について責任がある。ポイントツーポイントプロトコルは同期および非同期回線上でルータツールータ(router  to  router)およびホストツーネットワーク接続を提供するように設計された。ＰＤＳＮ３０はまたＭＩＰ機能性をサポートすることのほかにダイナミックＩＰアドレスを割り当てることもできる。ＰＤＳＮはＧＳＭおよびＵＭＴＳネットワーク内で見付け出されたＧＰＲＳサポートノード（ＧＳＮ）に同様の機能を供給する。
【００３２】
ＦＡは気付けアドレス(care-of-address)に伝送されたデータグラムを受信することにおいて移動体ノードを助けることができるフォーレンネットワーク上の移動性エージェントである。ＦＡ３２はロームされたＩＰユーザがフォーレンネットワーク上で登録することを可能にする移動体ＩＰ（ＭＩＰ）ネットワーク内のノードである。ＦＡ３２はＩＰデータグラムがホームＩＰネットワーク８０とフォーレンネットワーク６上のロームされたＩＰユーザとの間で転送されることを可能にするようにホームエージェント（ＨＡ）８０と通信する。
【００３３】
パケットデータ提供ノード（ＰＤＳＮ）３０およびフォーレンエージェント（ＦＡ）３２はＲＡＤＩＵＳサーバ４０およびＩＰネットワーク６０に連結される。ＲＡＤＩＵＳサーバ４０はまたＩＰネットワーク６０にも連結される。
【００３４】
ＩＰネットワーク６０はＣＮ７０、ホームエージェント（ＨＡ）８０、およびＲＡＤＩＵＳサーバ９０，１００に連結される。ＲＡＤＩＵＳサーバ９０はブローカネットワークであることができ、これに反してＲＡＤＩＵＳサーバ１００はホームＩＰネットワークであることができる。
【００３５】
ＣＮ７０は私設ネットワークであることができ、そしてパケットを無線端末に送るかまたはパケットを無線端末から受信するノードを指す；コレスポンデントノードはもう１つの移動体ノードまたは非移動体インターネットノードであってもよい。ＮＩＤＳはＣＮ７０がアドレス指定すること、および割り当てられたアドレスで無線端末１０にＩＰパケットを送ることができると想定する。
【００３６】
ホームエージェント（ＨＡ）８０はホームＩＰネットワーク、私設ネットワーク、またはホームアクセスプロバイダネットワークであることができる。ＨＡは、移動体ノードがそれのホームネットワーク８に所属しない時でさえ、その移動体ノードにそれのホームアドレスで到達させるホームネットワーク８上のノードを指す。ＨＡはその中では着付けアドレス（ＣｏＡ）がその移動体ノードにデータを伝送するために使用されるトンネル手順(tunneling  process)によってフォーレンネットワークに現在所属した移動体ノードにデータを送る。換言すれば、ＣｏＡは、移動体ノードがホームネットワークに所属しない時に、その移動体ノードのインターネットへの現在の所属ポイントでのＩＰアドレスを指す。このＣｏＡはＦＡ３２と関連してもよく、その場合にはそれはＦＡ  ＣｏＡと呼ばれる；すなわち、それは移動体ノードがフォーレンネットワーク内にＩＰアドレスを割り当てられることを意味する同じ場所に配置された(co-located)ＣｏＡ（ＣＣｏＡ）であってもよい。そのように、ＣＣｏＡは、ＦＡ３２によって提供されているものの代わりに、移動体ノードのネットワークインターフェイスの１つに割り当てられた気付けアドレスを指す。
【００３７】
ＲＡＮ２０はまたＡ１インターフェイスによって移動交換センタ（ＭＳＣ）５０にも連結される。ＭＳＣはロケーションデータベースとインターワーキングできるセルラネットワーク構造内の電気通信スイッチまたは交換局である。移動交換センタ（ＭＳＣ）５０はＳＳ７ネットワーク１１０によってＨＬＲ１２０に連結される。ホームロケーションレジスタ（ＨＬＲ）１２０はホームアクセスプロバイダネットワークであることができ、そして移動体終結（ＭＴ）呼およびショートメッセージサービス（ＳＭＳ）に関するルーチング情報を供給するホーム公衆陸上移動体ネットワーク（ＨＰＬＭＮ）内のデータベースである。ＨＬＲはまたロケーションエリアおよびルーチングエリア更新のような附属処理(attach  Process)および移動性管理手順により関連があるＶＬＲまたは提供ＧＰＲＳサポートノード（ＳＧＳＮ）に分布されるユーザ申込情報をも保持する。
【００３８】
ＮＩＤＳでは、無線端末１０はネットワークとの大気中送信インターフェイス登録を実行しそして静的または動的ＩＰアドレスのいずれかを使用してＮＩＤＳデータを受信することができるためにＩＰアドレスを割り当てられる。無線端末はその後パケットデータ切断条件（例えば、ＰＰＰセッションが存在しない）内の時に到達されることができる。無線ＩＰネットワーク６０が無線端末１０にアドレス指定されたＣＮ７０からＩＰパケットを受信する時に、無線ＩＰネットワークは資源を再確立することができ、そして無線端末１０にパケットを伝送することができる。ネットワークは無線端末１０にダウンロードされているデータをフィルタさせ、そしてＮＩＤＳデータを受認または否認させるために情報を提供する。無線端末ユーザプロファイルでは、ネットワークは加入者についてのＮＩＤＳサービスの活動状態はもちろんネットワーク起動のデータ能力についての無線端末の申込状態を保持する。ＮＩＤＳは加入者ローミングをサポートすることができ、そして現存するセキュリティ機構を使用することができる。無線端末はネットワークから受信されたＮＩＤＳを捨てることができる。申込管理者は加入者に対するＮＩＤＳサービスを活性化または不活性化することができる。
【００３９】
図２は休止中の端末にプッシュデータを伝えることによってデータサービスを開始するネットワーク内のネットワーク資源を保存するための方法の１つの実施形態のフローチャートである。ステップ４１０で、休止中の端末と関連する選択されたネットワーク資源が解放される。ステップ４３０で、休止中の端末に到達するための情報が保持される。ステップ４５０で、休止中の端末のネットワーク所属のポイントが変化する時に休止中の端末に到達するための情報は更新される。
【００４０】
図３は休止中の端末にプッシュデータを伝えることによってデータサービスを開始するネットワーク内のネットワーク資源を保存するための方法のもう１つの実施形態のフローチャートである。休止中の端末はネットワーク起動データサービスについて認証された休止中の移動局のような休止中の無線端末を備えてもよい。休止中の端末は結局変化する第１の所属ポイントでネットワークに初めに所属する。これらの方法は、例えば、シンプルＩＰｖ４、シンプルＩＰｖ６、移動体ＩＰｖ４、移動体ＩＰｖ６、１ｘＲＴＴ、および１ｘＥＶ−ＤＯのような種々様々なシステムに適用されることができる。
【００４１】
ステップ５１０に先立って、Ａ１０接続は端末がパワーオンする時に確立されることができ、そしてもしも端末の認証が成功すれば、端末プロファイル情報が伝達され、そしてＩＰアドレスが端末に割り当てられる。休止中の端末に到達するための端末プロファイル情報が生成される。端末プロファイル情報は無線端末ネットワークアクセス識別子（ＮＡＩ）、無線端末ＩＰアドレス、ＰＣＦアドレス、アクセスネットワークＩＤ（ＡＮＩＤ）、および無線端末ＩＤ（ＭＳＩＤ）の少なくとも１つから成るＮＩＤＳ可到達性情報（ＮＲＩ）を備えてもよい。無線端末（ＭＳ）ネットワークアクセス識別子（ＮＡＩ）はユーザをユニークに識別する。ネットワークアクセス識別子のフォーマットはｅメールアドレスと同種である。ＰＣＦアドレスはＰＣＦをユニークに識別するパケット制御機能（ＰＣＦ）のＩＰアドレスである。アクセスネットワークＩＤ（ＡＮＩＤ）はＰＣＦ提供エリアをユニークに識別する。無線端末ＩＤ（ＭＳＩＤ）は装置をユニークに識別する。ＭＳＩＤの１つの実施はＩＭＳＩである。いくつかの実施形態では，ＮＲＩはＭＳ当たり１００バイト未満である。例えば、１つの実施形態では、無線端末のネットワークアクセス識別子（数十バイト）、無線端末のＩＰアドレス（ＩＰｖ４としては４バイト、ＩＰｖ６としては１６バイト）、ＰＣＦのＩＰアドレス（４バイト）、ＩＭＳＩ（６０ビット）、および現アクセスネットワークＩＤ（４７ビット）。端末ネットワークアクセス識別子、端末ＩＰアドレス、ＰＣＦアドレス、アクセスネットワークＩＤ（ＡＮＩＤ）、および端末ＩＤから成るメッセージは更新される。端末ネットワークアドレス識別子、端末ＩＰアドレス、およびネットワークアクセス識別子ＩＰアドレスの間のマッピングは維持される。
【００４２】
ステップ５１０で、休止中の端末と関連するＰＰＰ状態およびＡ１０接続は、その端末が休止中であることを示す休止中表示を受信するとすぐ解放される。ＰＰＰ状態およびＡ１０接続はパケットデータ接続性について認証されたユーザのために割り当てられたネットワーク資源である。ＰＰＰ状態は無線端末とＰＤＳＮとの間の（ＰＰＰ）接続を維持するための情報を含む。Ａ１０接続はＰＣＦとＰＤＳＮとの間のユーザトラフィックを運ぶ。ＰＣＦは基地局（ＢＳ）とパケットデータ提供ノード（ＰＤＳＮ）との間のパケットの伝送を制御する無線アクセスネットワーク内のエンティティである。ＰＰＰ状態は端末への終結要求(Terminate-Request)を送ること無しに取り除かれることができる。
【００４３】
ステップ５３０で、休止中の端末にプッシュデータを伝送するように休止中の端末に到達するための、ＮＲＩのような情報は、パケットデータ提供ノードで保持される。プッシュデータは、例えば、端末ＩＰアドレスおよび端末移動性結合(terminal  mobility  binding)を備えてもよい。いくつかの実施形態では、ＰＤＳＮ３０は、プッシュデータを伝送するための無線端末に到達する方法上で、ＮＩＤＳ可到達性情報（ＮＲＩ）と呼ばれる、最小情報を保持するだけである。
【００４４】
ステップ５５０で、休止中の端末のネットワーク所属のポイントが変化する時に休止中の端末に到達するための情報は更新される。例えば、端末がＰＤＳＮ内ハンドオフまたはＰＤＳＮ間ハンドオフを受けると、休止中の端末のネットワーク所属のポイントは変化する。端末がＰＤＳＮ内ハンドオフを受ける時には、変化は休止中の端末が異なる無線アクセスネットワークに移動する時に検出される。Ａ１０接続は前アクセスネットワークＩＤ、現アクセスネットワークＩＤ、端末ＩＤ、および端末休止状態表示から成るＡ１１シグナリングによって確立される。端末ＩＤに基づいて、その端末に関するＮＲＩがあることが決定される。受信された前アクセスネットワークＩＤに基づいて、ＰＤＳＮ内ハンドオフが発生していることが決定されることができる。端末がＰＤＳＮ間ハンドオフを受ける時には、変化は休止中の端末がもう１つの無線アクセスネットワークに移動する時に検出される。Ａ１０接続は前アクセスネットワークＩＤ、現アクセスネットワークＩＤ、端末ＩＤ、および端末休止状態表示をも含むＡ１１シグナリングによって確立される。端末ＩＰアドレスが変化した時には、休止中の端末に関するＮＲＩは取り除かれそして端末ＩＰアドレスは将来の割当てのために解放される。休止中の無線端末１０はそれのネットワーク所属のポイントを変更すると、無線端末に到達するためにの方法上のネットワークの知識は更新される。１つの実施形態では、ＮＲＩ内のアクセスネットワークＩＤは現アクセスネットワークＩＤで更新され、そしてその端末に関するＡ１０接続の解放はＰＤＳＮ内ハンドオフを受けるとすぐ要求される。ＮＩＤＳ可能なＰＤＳＮ３０はＰＰＰ状態、圧縮状態（ヘッダおよび／またはペイロード圧縮）、Ａ１０接続、等を維持する必要はない。
【００４５】
ステップ５５０に続いて、ネットワークは休止中の端末にプッシュデータを送信することによりプッシュデータサービスを開始する。プッシュデータは、例えば、端末ＩＰアドレスおよび端末移動性結合の少なくとも１つを備えてもよい。１つの実施形態に従って、端末ＩＰアドレスが得られ、そしてこの端末にアドレス指定されたパケットは端末ＩＰアドレスを管理するノードに送られる。パケットはその後バッファに入れられ、そしてＮＲＩからの端末ＩＤおよびＰＣＦアドレスはパケットの目的地ＩＰアドレスに基づいて得られる。その後は、Ａ１１シグナリングによって、端末に関するＡ１０接続の確立が要求され、そしてＡ１０接続が確立された後に、端末とのＰＰＰネゴシエーションが開始される。インターネットプロトコル制御プロトコルの間中、ＮＲＩから同じ端末ＩＰアドレスが割り当てられ、そしてパケットはもう１つの無線アクセスネットワークによって休止中の端末に伝送される。Ａ１０接続およびＰＰＰ状態はその後、端末に関するＮＲＩを維持する一方で解放されることができる。
【００４６】
このように、もしも休止中の無線端末１０がＮＩＤＳについて認可されるならば、ＭＳのＩＰアドレスおよび移動性結合情報のような、プッシュデータを伝送するために無線端末に到達する方法上の知識を維持する一方で、ネットワークは無線端末１０と関連するＰＰＰ状態およびＡ１０接続を解放することによって資源を保存する。ＩＳ−８３５−Ｄでは新ＰＤＳＮの動作(behavior)はＮＩＤＳをサポートするように指定され、これに反して新３ＧＰＰ２−ＶＳＡはＮＩＤＳを伝達するように指定される。これらの実施形態は大気中送信インターフェイスおよび無線端末の動作に影響を与えず、そしてＡ１１シグナリングおよび関連するＰＣＦの動作における休止状態インジケータのサポートのみを要求して、ＩＯＳへの影響は最小である。
【００４７】
例示的呼フロー
例示的呼フローはこの発明のどこの局面がシンプルＩＰ、移動体ＩＰｖ４および移動体ＩＰｖ６に適用されるかが今記述されるであろう。下の例では、無線端末はＮＩＤＳおよびＩＰ可到達性サービス（ＩＲＳ）について申し込んだと想定される。
【００４８】
シンプルＩＰ
図４Ａ〜４ＤはＮＩＤＳ内でデータが端末にプッシュされる間のネットワークのブロック図である。図４ＥはシンプルＩＰに適用されたこの発明の１実施形態に関する呼フロー図である。図４ＥはシンプルＩＰに関するＮＩＤＳ手順およびＰＰＰ状態とＡ１０接続とを含むネットワーク資源を保存している間ネットワークがいかにプッシュサービスを提供することができるかを記述する。
【００４９】
パケットデータセッションの開始
図４Ａはネットワークによるパケットデータセッションの開始の間のネットワークのブロック図である。図４Ａは無線端末１０、第１の無線アクセスネットワーク（ＲＡＮ１）２２、第１のＰＤＳＮ（ＰＤＳＮ１）３２、認証、認可およびアカウンティング（ＡＡＡ）エンティティ７２、およびドメインネームサーバ（ＤＮＳ）７４を示す。
【００５０】
無線端末１０がパワーオンした後に、無線端末１０はＳＯ３３またはＳＯ５９を生起し、そしてＲＡＮ１  ２２はＰＤＳＮ１  ３２を選択して、ＰＤＳＮ１  ３２へのＡ１０接続を確立する。（ステップ１）無線端末１０とＰＤＳＮ１  ３２とはリンク制御プロトコルを協定する(negotiate)。（ステップ２）無線端末１０はチャレンジハンドシェーク認証プロトコルまたはＰＰＰ認証プロトコルによってＡＡＡ７２サーバにより認証される。（ステップ３）もしも認証が成功すれば、ＡＡＡ７２サーバはＲＡＤＩＵＳアクセス・アクセプトによってＰＤＳＮ１  ３２に無線端末１０プロファイル情報（例えば、ＮＩＤＳ、ＩＲＳ）を伝達する。（ステップ３）ＩＰｖ４アドレス（またはＩＰｖ６アドレスプレフィックス）はインターネットプロトコル制御プロトコル（またはルータ広告）によって無線端末１０に割り当てられる。（ステップ４）無線端末１０プロファイルはＮＩＤＳを示すので、ＰＤＳＮ１  ３２は無線端末１０に関するＮＩＤＳ可到達性情報（ＮＲＩ）を生成する。（ステップ５）ＮＲＩは無線端末１０ネットワークアクセス識別子、無線端末１０ＩＰアドレス、ＰＣＦアドレス、アクセスネットワークＩＤ（ＡＮＩＤ）、および無線端末ＩＤの間のマッピングである。無線端末ＩＤ（例えば、ＩＭＳＩ）およびＰＣＦアドレスはＡ１０接続セットアップのためのＡ１１シグナリングによってＰＤＳＮに利用可能にされる。この手順は１ｘＲＴＴおよび１ｘＥＶ−ＤＯの両方にとって同じ物である。１ｘＥＶ−ＤＯでは、もしもアクセス・ネットワークチャレンジハンドシェーク認証プロトコルの認証が成功すれば、アクセスネットワークＡＡＡ７２サーバは一時的ＩＭＳＩを割り当てて、ＰＣＦがＡ１１シグナリング内のＩＭＳＩをＰＤＳＮに含むことができるように、ＲＡＤＩＵＳアクセス・アクセプトによってそれをＰＣＦに伝達する。
【００５１】
ＰＤＳＮ１  ３２は無線端末１０ネットワークアクセス識別子、アドレス、等を含んでいるＲＡＤＩＵＳアカウント開始(Account-Start)を送る。無線端末１０プロファイルはＩＲＳを示すので、ＡＡＡ７２サーバは無線端末１０ＩＰアドレスについてＤＮＳ７４サーバを更新する。（ステップ６）ＡＡＡ７２サーバはまた無線端末１０ネットワークアクセス識別子、無線端末１０ＩＰアドレス、およびネットワークアクセス識別子ＩＰアドレス間のマッピングも保持する。ＰＰＰが設定された後、無線端末１０はデータを送／受信できるが、しかしもしもそれができなければ、無線端末１０は休止状態になるであろう。ＲＡＮ１  ２２は無線端末１０が休止中であることを検出する時に、ＲＡＮ１  ２２はＡ１１シグナリングによってＰＤＳＮ１  ３２に休止中表示を送る。（ステップ７）無線端末１０プロファイルはＮＩＤＳを示すので、休止中表示を受信するとすぐ、ＰＤＳＮ１  ３２は無線端末１０に終結要求を送ること無しにＰＰＰ状態を取り除き、そしてＡ１０接続を解放するためにＲＡＮ１  ２２を要求する。（ステップ８）しかし、ＰＤＳＮ１  ３２は無線端末１０に関するＮＲＩを保持する；このように、ＰＤＳＮ１  ３２はＡＡＡ７２サーバにＤＮＳ７４サーバを更新するためでなく表示付きのＲＡＤＩＵＳアカウンティング停止(Accounting-stop)を送る。（ステップ９）表示は、例えば、ＩＳ−８３５内で定義されたセッション・コンティニュー属性(Session-Continue  attribute)であり得る。
【００５２】
ＰＤＳＮ内ハンドオフ
図４ＢはＰＤＳＮ内ハンドオフ中のネットワークのブロック図である。図４Ｂは無線端末１０、第２の無線アクセスネットワーク（ＲＡＮ２）２４、および第１のＰＤＳＮ（ＰＤＳＮ１）３２を示す。休止中の無線端末１０はＲＡＮ２  ２４に移動し、そしてＰＺＩＤ／ＳＩＤ／ＮＩＤにおける変化（またはＩｘＥＶ−ＤＯの場合にはサブネット変化）を検出する。無線端末１０はゼロに設定されたＤＲＳビット付きの生起メッセージ(Origination  Message)を送る。ＲＡＮ２  ２４とＰＤＳＮ１  ３２とは到達可能である。この場合に、ＲＡＮ２  ２４は前アクセスネットワークＩＤ、現アクセスネットワークＩＤ、無線端末ＩＤ、および無線端末１０休止状態表示をも含むＡ１１シグナリングによってＰＤＳＮ１  ３２とのＡ１０接続を確立する。（ステップ１０）無線端末ＩＤに基づいて、ＰＤＳＮ１  ３２はそれが無線端末１０に関するＮＲＩを有することを決定する。受信された前アクセスネットワークＩＤに基づいて、ＰＤＳＮ１  ３２はそれがＰＤＳＮ内ハンドオフであることを決定し、現アクセスネットワークＩＤ付きのＮＲＩ内のアクセスネットワークＩＤを更新し、そして無線端末１０に関するＡ１０接続を取り除くためにＲＡＮ２  ２４を要求する。（ステップ１１）ＰＰＰネゴシエーションはない。
【００５３】
ＰＤＳＮ間ハンドオフ
図４ＣはＰＤＳＮ間ハンドオフ中のネットワークのブロック図である。図４Ｃは無線端末１０、第３の無線アクセスネットワーク（ＲＡＮ３）２５、第２のＰＤＳＮ（ＰＤＳＮ２）３４、第１のＰＤＳＮ（ＰＤＳＮ１）３２、認証、認可およびアカウンティング（ＡＡＡ）エンティティ７２、およびドメインネームサーバ（ＤＮＳ）７４を示す。休止中の無線端末１０はＲＡＮ３  ２５に移動し、そしてＰＺＩＤ／ＳＩＤ／ＮＩＤにおける変化（またはＩｘＥＶ−ＤＯの場合にはサブネット変化）を検出する。無線端末１０はゼロに設定されたＤＲＳビット付きの生起メッセージを送る。ＲＡＮ３  ２５とＰＤＳＮ１  ３２とは到達可能ではないと想定されたい。この場合に、ＲＡＮ３  ２５は前アクセスネットワークＩＤ、現アクセスネットワークＩＤ、無線端末１０ＩＤ、および無線端末１０休止状態表示をも含むＡ１１シグナリングによってＰＤＳＮ２  ３４へのＡ１０接続を確立する。（ステップ１２）その後は、上記されたステップ２〜９が循環する。次に、ＡＡＡ７２サーバは無線端末１０ＩＰアドレスが変化したことを通知する。このように、ＡＡＡ７２サーバは無線端末１０に関するＮＲＩを取り除くためにＰＤＳＮ１  ３２にＲＡＤＩＵＳ切断要求(Disconnect-Request)を送り、そして将来の割当てのために無線端末１０ＩＰアドレスを解放する。（ステップ１４）
プッシュデータ
図４Ｄはデータが無線端末にプッシュされている時のネットワークのブロック図である。図４Ｄは無線端末１０、第２のＰＤＳＮ（ＰＤＳＮ２）３４、ドメインネームサーバ（ＤＮＳ）７４およびコンテンツサーバ(content  server)（ＣＳ）７６を示す。コンテンツサーバ（ＣＳ）は無線端末１０にデータをプッシュしたい。ＣＳ７６はＤＮＳ７４質問／応答(query/response)によって無線端末１０ＩＰアドレスを得る。（ステップ１５）ＣＳ７６は無線端末１０にアドレス指定されたパケットを送る。このパケットは無線端末１０ＩＰアドレスを管理するＰＤＳＮ２  ３４に送られる。（ステップ１６）ＰＤＳＮ２  ３４はパケットをバッファに入れる。パケットの目的地ＩＰアドレスに基づいて、ＰＤＳＮ２  ３４はＮＲＩから無線端末ＩＤおよびＰＣＦアドレスを得る。Ａ１１シグナリングによって、ＰＤＳＮ２  ３４は無線端末１０に関するＡ１０接続を確立するためにＲＡＮ３  ２５を要求する。Ａ１０が確立された後、ＰＤＳＮ２  ３４は無線端末１０とのＰＰＰネゴシエーション（リンク制御プロトコル、チャレンジハンドシェーク認証プロトコルまたはＰＰＰ認証プロトコル、インターネットプロトコル制御プロトコル）を開始する。インターネットプロトコル制御プロトコルの間、ＰＤＳＮ２  ３４はＮＲＩから同じ無線端末１０ＩＰアドレスを割り当てる。（ステップ１７）認証およびアカウンティング開始のためのＲＡＤＩＵＳメッセージ交換は図示されない。ＰＤＳＮ２  ３４はＲＡＮ３  ２５によって無線端末１０にパケットを伝送する。（ステップ１８）無線端末１０が休止状態になると、ＲＡＮ３  ２５はＰＤＳＮ２  ３４を通知する。前の通り、Ａ１０接続およびＰＤＳＮ２  ３４内のＰＰＰ状態は解放されるが、しかしＰＤＳＮ２  ３４は無線端末１０に関するＮＲＩを保持する。アカウンティング停止のためのＲＡＤＩＵＳメッセージ交換はこの図には示されない。
【００５４】
Ｂ．移動体ＩＰｖ４
図５Ａ〜５ＤはＮＩＤＳ内でデータが端末にプッシュされる間のもう１つのネットワークのブロック図である。図５Ｅは移動体ＩＰｖ４に適用されたこの発明の１実施形態についての呼フロー図である。図５Ｅは移動体ＩＰｖ４に関するナル状態登録手順およびネットワーク資源（ＰＰＰ状態とＡ１０接続）を保存している間ネットワークがいかにプッシュサービスを提供することができるかを記述する。
【００５５】
パケットデータセッションを開始する
図５Ａはネットワークによるパケットデータセッションの開始の間のネットワークのブロック図である。図５Ａは無線端末１０、第１の無線アクセスネットワーク（ＲＡＮ１）２２、第１のＰＤＳＮ（ＰＤＳＮ１）３２、ホームエージェント（ＨＡ）８０、認証、認可およびアカウンティング（ＡＡＡ）エンティティ７２、およびドメインネームサーバ（ＤＮＳ）７４を示す。ＡＡＡ７２はユーザのアイデンティティと特権とを確実にそしてそのユーザの活動を追跡するために決定する。イラストにおける簡単のため、この文書は認証、認可およびアカウンティング（ＡＡＡ）およびプッシュゲートウエイ（ＰＧＷ）機能を実行する単一のエンティティとしてＡＡＡおよびＰＧＷをひとまとめにする。しかしながら、ＡＡＡ／ＰＧＷが別個のエンティティとして実施され得ることは認識されねばならない。
【００５６】
無線端末１０がパワーオンした後、無線端末１０はＳＯ３３またはＳＯ５９を生起する。ＲＡＮ１  ２２はＰＤＳＮ１  ３２を選択し、そしてＰＤＳＮ１  ３２へのＡ１０接続を確立する。（ステップ１）無線端末１０とＰＤＳＮ１  ３２とはＩＳ−８３５ごとにリンク制御プロトコルおよびインターネットプロトコル制御プロトコルを協定する。（ステップ２）ＰＰＰが確立された後、ＰＤＳＮ１  ３２は無線端末１０に移動体ＩＰエージェント広告を送る。（ステップ３）無線端末１０は移動体ＩＰ登録を実行する。もしもフォーレンエージェントチャレンジ認証が成功すれば、ＡＡＡ７２サーバはＲＡＤＩＵＳアクセス・アクセプトによってＰＤＳＮ１  ３２に無線端末１０プロファイル情報（例えば、ＮＩＤＳ）を伝達する。もしも登録が成功すれば、ＨＡ８０は移動体ＩＰ登録応答内の無線端末１０ホームアドレスを伝達する。無線端末１０プロファイルはＩＲＳを示すので、ＡＡＡ７２サーバかＨＡ８０のどちらかはＤＮＳ７４更新を実行する。（ステップ４）ＲＡＤＩＵＳアカウンティングは図示されない。
【００５７】
無線端末１０プロファイルはＮＩＤＳを示すので、ＰＤＳＮ１  ３２は無線端末１０に関するＮＩＤＳ可到達性情報（ＮＲＩ）を生成する。（ステップ５）ＮＲＩは無線端末１０ネットワークアクセス識別子、無線端末１０ＩＰアドレス（即ち、ホームアドレス）、ＰＣＦアドレス、アクセスネットワークＩＤ（ＡＮＩＤ）、および無線端末ＩＤの間のマッピングである。無線端末１０はデータを送／受信できるが、しかしそれができなければ、無線端末１０は休止状態になるであろう。ＲＡＮ１  ２２は無線端末１０が休止中であることを検出する時に、ＲＡＮ１  ２２はＡ１１シグナリングによってＰＤＳＮ１  ３２に休止中表示を送る。（ステップ６）休止中表示を受信するとすぐ、ＰＤＳＮ１  ３２は無線端末１０に関するＰＰＰ状態を取り除き、そして無線端末１０プロファイルはＩＲＳを示すので、Ａ１０接続を解放するようＲＡＮ１  ２２に要求する。しかし、ＰＤＳＮ１  ３２はＮＲＩおよび無線端末１０に関するビジタリストエントリを保持する。ＲＡＤＩＵＳアカウンティング停止は図示されない。（ステップ７）。
【００５８】
ＰＤＳＮ内ハンドオフ
図５ＢはＰＤＳＮ内ハンドオフ中のネットワークのブロック図である。図５Ｂは無線端末１０、第２の無線アクセスネットワーク（ＲＡＮ２）２４、および第１のＰＤＳＮ（ＰＤＳＮ１）３２を示す。休止中の無線端末１０はＲＡＮ２  ２４に移動し、そしてＰＺＩＤ／ＳＩＤ／ＮＩＤ内の変化（またはＩｘＥＶ−ＤＯの場合にはサブネット変化）を検出する。無線端末１０はゼロに設定されたＤＲＳビット付きの生起メッセージを送る。ＲＡＮ２  ２４およびＰＤＳＮ１  ３２は到達可能であると想定されたい。この場合に、ＲＡＮ２  ２４は前アクセスネットワークＩＤ、現アクセスネットワークＩＤ、無線端末ＩＤ、および無線端末１０休止状態表示をも含むＡ１１シグナリングによってＰＤＳＮ１  ３２とのＡ１０接続を確立する。（ステップ８）無線端末ＩＤに基づいて、ＰＤＳＮ１  ３２はそれが無線端末１０に関するＮＲＩを有することを決定する。受信された前アクセスネットワークＩＤに基づいて、ＰＤＳＮ１  ３２はそれがＰＤＳＮ内ハンドオフであることを決定し、現アクセスネットワークＩＤと共にＮＲＩ内のアクセスネットワークＩＤを更新し、そして無線端末１０に関するＡ１０接続を取り除くようにＲＡＮ２  ２４に要求する。（ステップ９）
ＰＤＳＮ間ハンドオフ
図５ＣはＰＤＳＮ間ハンドオフ中のネットワークのブロック図である。図５Ｃは無線端末１０、第３の無線アクセスネットワーク（ＲＡＮ３）２５、第２のＰＤＳＮ（ＰＤＳＮ２）３４、ホームエージェント（ＨＡ）８０、第１のＰＤＳＮ（ＰＤＳＮ１）３２、および認証、認可およびアカウンティング（ＡＡＡ）エンティティ７２を示す。休止中の無線端末１０はＲＡＮ３  ２５に移動し、そしてＰＺＩＤ／ＳＩＤ／ＮＩＤ内の変化（あるいはＩｘＥＶ−ＤＯの場合にはサブネット変化）を検出する。無線端末１０はゼロに設定されたＤＲＳビットと共に生起メッセージを送る。ＲＡＮ３  ２５およびＰＤＳＮ１  ３２は到達可能ではないと想定されたい。この場合に、ＲＡＮ３  ２５はＰＤＮＳ２  ３４を選択し、そして前アクセスネットワークＩＤ、現アクセスネットワークＩＤ、無線端末ＩＤ、および無線端末１０休止状態表示をも含むＡ１１シグナリングによってＰＤＳＮ２  ３４へのＡ１０接続を確立する。（ステップ１０）ステップ１１はＤＮＳ７４更新がないことを除いて、上のステップ２〜７と同じであり、そしてここでは簡単のために繰り返されないであろう。（ステップ１１）ＨＡ８０は無線端末１０がＰＤＳＮ／ＦＡを変更したことを通知する。このように、ＨＡ８０は無線端末１０に関するビジタリストエントリおよびＮＲＩを取り除くために移動体ＩＰ廃止(Revocation)をＰＤＳＮ１  ３２に送る。（ステップ１２）
プッシュデータ
図５Ｄはデータが無線端末にプッシュされている時のネットワークのブロック図である。図５Ｄは無線端末１０、第２のＰＤＳＮ（ＰＤＳＮ２）３４、ホームエージェント（ＨＡ）８０、ドメインネームサーバ（ＤＮＳ）７４およびコンテンツサーバ（ＣＳ）７６を示す。コンテンツサーバ（ＣＳ）は無線端末１０にデータをプッシュしたい。ＣＳ７６はＤＮＳ７４質問／応答によって無線端末１０ＩＰアドレスを得る。（ステップ１３）ＣＳ７６は無線端末１０にアドレス指定されたパケットを送る。このパケットはＨＡによってＰＤＳＮ２  ３４に送られる。ＰＤＳＮ２  ３４はパケットをバッファに入れる。（ステップ１４）パケットの目的地ＩＰアドレスに基づいて、ＰＤＳＮ２  ３４はＮＲＩから無線端末ＩＤおよびＰＣＦアドレスを得る。Ａ１１シグナリングによって、ＰＤＳＮ２  ３４は無線端末１０に関するＡ１０接続を確立するためにＲＡＮ３  ２５を要求する。ＰＤＳＮ２  ３４は無線端末１０とのＰＰＰネゴシエーション（ＬＣＰおよびインターネットプロトコル制御プロトコル）を開始する。ＰＤＳＮ２  ３４は既に無線端末１０に関するビジタリストエントリおよびＮＲＩを有するので、ＰＤＳＮ２  ３４はＰＰＰが確立された後に移動体ＩＰエージェント広告を送る必要はない。（ステップ１５）ＰＤＳＮ２  ３４はＲＡＮ３  ２５によって無線端末１０にパケットを伝送する。（ステップ１６）無線端末１０が休止状態になると、ＲＡＮ３  ２５はＰＤＳＮ２  ３４を通知する。前の通り、Ａ１０接続およびＰＤＳＮ２  ３４内のＰＰＰ状態は解放されるが、しかしＰＤＳＮ２  ３４は無線端末１０に関するＮＲＩおよびビジタリストエントリを保持する。
【００５９】
この分野の技術者は、情報および信号がいろいろな異なるテクノロジーおよびテクニックのいずれかを使用して表され得ることを理解するであろう。例えば、上記説明の全体を通して参照される可能性があるデータ、指示、命令、情報、信号、ビット、記号、およびチップは、電圧、電流、電磁波、磁界または粒子、光学界または粒子、あるいはそれの任意の組合わせにより表されることができる。
【００６０】
技術者は、この中に開示された実施形態に関して記述された種々の実例となる論理ブロック、モジュール、回路、およびアルゴリズムステップは電子ハードウェア、コンピュータソフトウェア、または両者の組合わせとして実施され得ることをさらに認識するであろう。ハードウェアおよびソフトウェアのこの互換性を明確に説明するために、種々の実例となるコンポーネント、ブロック、モジュール、回路、およびステップは、一般にそれらの機能性の表現で上述された。そのような機能性がハードウェアまたはソフトウェアとして実施されるかどうかはシステム全体に課された特定のアプリケーションと設計の制約とによる。熟練技工は各特定のアプリケーションについて異なる方法で記述された機能性を実施できるが、しかしそのような実施の決定が本発明の範囲からの逸脱を引き起こすと理解されてはならない。
【００６１】
この中に開示された実施形態に関して記述された種々の実例となる論理ブロック、モジュール、および回路は、汎用プロセッサ、ディジタル信号プロセッサ（ＤＳＰ）、特定用途向け集積回路（ＡＳＩＣ）、フィールドプログラマブルゲートアレイ（ＦＰＧＡ）または他のプログラマブル論理装置、ディスクリートゲートまたはトランジスタ論理、ディスクリートハードウェアコンポーネント、あるいはこの中に記述された機能を実行するように設計されたそれの任意の組合わせで実施または実行されることができる。汎用プロセッサはマイクロプロセッサであってもよいが、しかし代替案では、プロセッサは任意の従前のプロセッサ、コントローラ、マイクロコントローラ、またはステートマシンであってもよい。プロセッサはまた計算装置、例えば、ＤＳＰとマイクロプロセッサとの組合わせ、複数のマイクロプロセッサ、ＤＳＰコアとともに１つまたはそれ以上のマイクロプロセッサ、あるいは任意の他のそのような構成として実施されてもよい。
【００６２】
この中に開示された実施形態に関して記述された方法のステップまたはアルゴリズムはハードウェアで、プロセッサにより実行されるソフトウェアモジュールで、または２つの組合わせで直接具体化されることができる。ソフトウェアモジュールはＲＡＭメモリ、フラッシュメモリ、ＲＯＭメモリ、ＥＰＲＯＭメモリ、ＥＥＰＲＯＭメモリ、レジスタ、ハードディスク、着脱可能形ディスク、ＣＤ−ＲＯＭ、あるいはこの分野において既知の任意の他の形式の蓄積媒体に属してもよい。例示的な蓄積媒体はプロセッサに連結され、そのようなプロセッサはこの蓄積媒体から情報を読み取り、それに情報を書き込むことができる。代替案では、蓄積媒体はプロセッサに一体化されることができる。プロセッサと蓄積媒体とは１つのＡＳＩＣ内に存在してもよい。ＡＳＩＣはユーザ端末内に存在してもよい。代替案では、プロセッサと蓄積媒体とはディスクリートコンポーネントとして１つのユーザ端末内に存在してもよい。
【００６３】
開示された実施形態の前の説明はこの分野の任意の技術者が本発明を製作または使用できるように提供される。これらの実施形態へのいろいろな変更はこの分野の技術者にはたやすく明白であるだろうし、そしてこの中に定義された包括的な原理はこの発明の精神または範囲から逸脱すること無しに他の実施形態に適用されてもよい。例えば、移動体ＩＰｖ６では、呼フローは以下の相違を有する図４Ｅと類似している。ステップ４の後に、無線端末１０はＨＡ８０（図示せず）で移動体ＩＰｖ６登録を実行する。無線端末１０は新ＣＯＡを含む結合更新情報(binding  update)を送る。新ＣＯＡは（ステップ４においてＰＤＳＮにより送られたルータ広告内の）ＩＰｖ６アドレスプレフィックスを無線端末１０のインターフェイスＩＤに付加することにより形成される。ステップ６では、無線端末１０ホームアドレスが静的であるので、ＤＳＮ７４更新は要求されない。ＰＤＳＮ間ハンドオフの間中（ステップ１３）、ＤＳＮ７４更新は要求されない。ステップ１６では、ＣＳ７６から送られたデータパケットはＨＡ８０（図示せず）によってＰＤＳＮ２  ３４に送られる。
【００６４】
このように、本発明はこの中に示された実施形態に限定されるつもりはないが、しかしこの中に開示された原理および新規な特徴と矛盾しない最も広い範囲が許容されるべきである。
【図面の簡単な説明】
【００６５】
【図１】無線ＩＰネットワークの基準モデルを示す簡易化されたブロック図。
【図２】ＮＩＤＳについて認可された休止中の無線端末にプッシュデータを伝えるネットワーク内のネットワーク資源を保存するための方法の１つの実施形態を示すフローチャート。
【図３】ＮＩＤＳについて認可された休止中の無線端末にプッシュデータを伝えるネットワーク内のネットワーク資源を保存するための方法のもう１つの実施形態を示すフローチャート。
【図４Ａ】ネットワークによるパケットデータセッションの開始中のネットワークを示すブロック図。
【図４Ｂ】ＰＤＳＮ内ハンドオフ中の図４Ａのネットワークを示すブロック図。
【図４Ｃ】ＰＤＳＮ間ハンドオフ中の図４Ｂのネットワークを示すブロック図。
【図４Ｄ】データが無線端末にプッシュされている時の図４Ｃのネットワークを示すブロック図。
【図４Ｅ】シンプルＩＰに適用されたこの発明の１実施形態を示す呼フロー図。
【図５Ａ】ネットワークによるパケットデータセッションの開始中のもう１つのネットワークを示すブロック図。
【図５Ｂ】ＰＤＳＮ内ハンドオフ中の図５Ａのネットワークを示すブロック図。
【図５Ｃ】ＰＤＳＮ間ハンドオフ中の図５Ｂのネットワークを示すブロック図。
【図５Ｄ】データが無線端末にプッシュされている時の図５Ｃのネットワークを示すブロック図。
【図５Ｅ】移動体ＩＰｖ４に適用されたこの発明の１実施形態を示す呼フロー図。
【符号の説明】
【００６６】
６…アクセスプロバイダネットワーク、８…ホームネットワーク、１０…ＭＳ、２０…ＲＡＮ、３０…ＰＤＳＮ、３２…ＦＡ、４０…ＲＡＤＩＵＳサーバ、５０…ＭＳＣ、６０…ＩＰネットワーク、７０…ＣＮ、８０…ＨＡ、９０…ブローカネットワーク、１００…ホームＩＰネットワーク、１１０…ＳＳ７ネットワーク、１２０…ＨＬＲ
【図１】
2007509575.tif 000003
【図２】
2007509575.tif 000004
【図３】
2007509575.tif 000005
【図４Ａ】
2007509575.tif 000006
【図４Ｂ】
2007509575.tif 000007
【図４Ｃ】
2007509575.tif 000008
【図４Ｄ】
2007509575.tif 000009
【図４Ｅ】
2007509575.tif 000010
【図５Ａ】
2007509575.tif 000011
【図５Ｂ】
2007509575.tif 000012
【図５Ｃ】
2007509575.tif 000013
【図５Ｄ】
2007509575.tif 000014
【図５Ｅ】
2007509575.tif 000015
【国際調査報告】
2007509575.tif 000016
2007509575.tif 000017
2007509575.tif 000018